(57)【要約】【課題】パレットの移動を自動的に効率よく実行すること。【解決手段】マンション１の移動型車庫における入出庫の実績を、曜日、天候、気温と関連付けて実績情報データベース２４に記憶する。気象情報取得部はネットワーク３を介して気象情報サーバ４から天気予報を取得し、入出庫予測部１２は、天気予報によって示される天候および気温をもとに、実績情報データベース２４を用いて入出庫の可能性のあるパレットを予測し、予測テーブル２２を作成する。パレット動作部１１は、予測テーブル２２から作成された移動指示テーブルに従ってパレットを移動させることで、使用者の行動に先立って予めパレットを移動させておくことができる。【選択図】      図１
2004278215.tif 000002
【特許請求の範囲】
【請求項１】
車両を駐車するパレットを複数備え、該複数のパレットのいずれかを入出庫可能な位置に移動させて当該パレットに対する前記車両の入出庫を行う移動型車庫の管理方法であって、
気象情報を取得する気象情報取得工程と、
前記パレットに対して車両の入出庫があった場合に、前記気象情報取得工程が取得した前記気象情報と前記車両の入出庫実績とを関連付けて記憶する入出庫実績記憶工程と、
前記気象情報取得工程が取得した前記気象情報と前記入出庫実績とをもとに、前記車両の入出庫を予測し、該予測結果に基づいて前記パレットを移動させる入出庫予測工程と、
を含むことを特徴とする移動型車庫の管理方法。
【請求項２】
前記気象情報取得工程は、前記気象情報として天候および気温の予報を取得し、前記入出庫予測工程は、前記気象情報取得工程が取得した予報をもとに前記車両の入出庫を予測することを特徴とする請求項１に記載の移動型車庫の管理方法。
【請求項３】
前記入出庫予測工程は、前記気象情報によって示された条件下において過去に入出庫がなされた車両を前記入出庫実績から読み出し、当該車両に対応するパレットを入出庫可能な位置に移動させることを特徴とする請求項１または２に記載の移動型車庫の管理方法。
【請求項４】
前記入出庫予測工程は、前記気象情報によって示された条件下において過去に入出庫がなされた車両が複数ある場合に、当該条件下における入出庫の実行確率が高い車両に対応するパレットを入出庫可能な位置に移動させることを特徴とする請求項３に記載の移動型車庫の管理方法。
【請求項５】
車両を駐車するパレットを複数備え、該複数のパレットのいずれかを入出庫可能な位置に移動させて当該パレットに対する前記車両の入出庫を行う移動型車庫の管理装置であって、
気象情報を取得する気象情報取得手段と、
前記パレットに対して車両の入出庫があった場合に、前記気象情報取得手段が取得した前記気象情報と前記車両の入出庫実績とを関連付けて記憶する入出庫実績記憶手段と、
前記気象情報取得手段が取得した前記気象情報と前記入出庫実績とをもとに、前記車両の入出庫を予測し、該予測結果に基づいて前記パレットを移動させる入出庫予測手段と、
を備えたことを特徴とする移動型車庫の管理装置。
【発明の詳細な説明】
【０００１】
【発明の属する技術分野】
この発明は、車両を駐車するパレットを複数備え、該複数のパレットのいずれかを入出庫可能な位置に移動させて当該パレットに対する前記車両の入出庫を行う移動型車庫の管理方法および管理装置に関し、特に、車両の入出庫を予測してパレットの移動を効率化した移動型車庫の管理方法および管理装置に関する。
【０００２】
【従来の技術】
近年、マンションなどに併設される駐車場では、移動型車庫が利用される場合が多い。移動型車庫では各車両に対してパレットを設け、車両の入庫や出庫を行う際に対応するパレットを入出庫可能な位置に移動させる。このような移動型車庫では、どのパレットに駐車する場合であっても同一の位置で入庫および出庫を行うことが出来るためにパレットごとに入出庫用のスペースを設ける必要がなく、また車庫を立体的に構成することができるので、駐車場のスペースを有効に活用できる。
【０００３】
ところで、この移動型車庫では、パレットの移動にかかる時間を如何に短縮するかが重要な課題となる。移動型車庫ではそのパレット数が増える毎にパレットを入出庫位置まで移動させる時間が長くなり、例えば車両の利用者が駐車場に訪れてから入出庫が可能となるまでに１０分程度の待ち時間が生ずる。
【０００４】
このような利用者の不便を解消すべく、従来、様々な工夫が為されてきた。たとえば特許文献１に開示された移動型車庫の管理方法では、利用者があらかじめ電話にて入出庫の予約を行うことで、利用者が車庫に到着する時間に合わせてパレットを移動させている。
【０００５】
また、特許文献２に開示された移動型車庫では、利用者の位置情報を取得して利用者が移動型車庫に近づいた段階で、対応するパレットの移動を開始するようにしている。
【０００６】
【特許文献１】
実開平６−２５９９８号公報
【特許文献２】
特開平１１−２８０２８２号公報
【０００７】
【発明が解決しようとする課題】
しかしながら、利用者が予め電話予約をする方法では、利用者自身が入出庫の時間を予測し、予約を行わねばならず、利用者の負担が大きいという問題点があった。また、入出庫の時間を正確に予測することは難しく、パレットの移動を効率よく実行するのは困難であった。
【０００８】
また、利用者の位置情報を利用する方法では、利用者が付近を通過したのみであってもパレットを移動させることとなり、不要なパレットの移動が発生する。したがって、パレットの移動の効率が低下し、さらに本来不要なエネルギーを使用することになるという問題点があった。
【０００９】
この発明は、上述した従来技術による問題点を解消するためになされたものであり、パレットの移動を自動的に効率よく実行可能な移動型車庫の管理方法および管理装置を提供することを目的とする。
【００１０】
【課題を解決するための手段】
上述した課題を解決し、目的を達成するため、請求項１の発明に係る移動型車庫の管理方法は、車両を駐車するパレットを複数備え、該複数のパレットのいずれかを入出庫可能な位置に移動させて当該パレットに対する前記車両の入出庫を行う移動型車庫の管理方法であって、気象情報を取得する気象情報取得工程と、前記パレットに対して車両の入出庫があった場合に、前記気象情報取得工程が取得した前記気象情報と前記車両の入出庫実績とを関連付けて記憶する入出庫実績記憶工程と、前記気象情報取得工程が取得した前記気象情報と前記入出庫実績とをもとに、前記車両の入出庫を予測し、該予測結果に基づいて前記パレットを移動させる入出庫予測工程と、を含むことを特徴とする。
【００１１】
この請求項１の発明によれば、移動型車庫の管理方法は、パレットに対する入出庫実績を気象情報と関連付けて記憶し、気象情報に基づいて入出庫を予測してパレットの移動を実行する。
【００１２】
また、請求項２の発明に係る移動型車庫の管理方法は、請求項１の発明において、前記気象情報取得工程は、前記気象情報として天候および気温の予報を取得し、前記入出庫予測工程は、前記気象情報取得工程が取得した予報をもとに前記車両の入出庫を予測することを特徴とする。
【００１３】
この請求項２の発明によれば、移動型車庫の管理方法は、パレットに対する入出庫実績を天候および気温と関連付けて記憶し、天候および気温の予報に基づいて入出庫を予測してパレットの移動を実行する。
【００１４】
また、請求項３の発明に係る移動型車庫の管理方法は、請求項１または２の発明において、前記入出庫予測工程は、前記気象情報によって示された条件下において過去に入出庫がなされた車両を前記入出庫実績から読み出し、当該車両に対応するパレットを入出庫可能な位置に移動させることを特徴とする。
【００１５】
この請求項３の発明によれば、移動型車庫の管理方法は、気象情報によって示された条件下における過去の入出庫実績をもとに、入出庫が予想される車両を決定して対応するパレットの移動を行う。
【００１６】
また、請求項４の発明に係る移動型車庫の管理方法は、請求項３の発明において、前記入出庫予測工程は、前記気象情報によって示された条件下において過去に入出庫がなされた車両が複数ある場合に、当該条件下における入出庫の実行確率が高い車両に対応するパレットを入出庫可能な位置に移動させることを特徴とする。
【００１７】
この請求項４の発明によれば、移動型車庫の管理方法は、気象情報によって示された条件下において過去に入出庫がなされた車両が複数ある場合に、同一条件下における入出庫の実行確率が高い車両を優先する。
【００１８】
また、請求項５の発明に係る移動型車庫の管理装置は、車両を駐車するパレットを複数備え、該複数のパレットのいずれかを入出庫可能な位置に移動させて当該パレットに対する前記車両の入出庫を行う移動型車庫の管理装置であって、気象情報を取得する気象情報取得手段と、前記パレットに対して車両の入出庫があった場合に、前記気象情報取得手段が取得した前記気象情報と前記車両の入出庫実績とを関連付けて記憶する入出庫実績記憶手段と、前記気象情報取得手段が取得した前記気象情報と前記入出庫実績とをもとに、前記車両の入出庫を予測し、該予測結果に基づいて前記パレットを移動させる入出庫予測手段と、を備えたことを特徴とする。
【００１９】
この請求項５の発明によれば、移動型車庫の管理装置は、パレットに対する入出庫実績を気象情報と関連付けて記憶し、気象情報に基づいて入出庫を予測してパレットの移動を実行する。
【００２０】
【発明の実施の形態】
以下に添付図面を参照して、この発明に係る移動型車庫の管理方法の好適な実施の形態である車庫管理装置について詳細に説明する。
【００２１】
まず、本実施の形態にかかる車庫管理装置の概要構成について説明する。図１は、本実施の形態にかかる車庫管理装置の概要構成を説明する概要構成図である。同図において、マンション１は、１０１号室、１０２号室、２０１号室、２０２号室、３０１号室および３０２号室を備えるとともに、パレットＰ１〜Ｐ６を有する移動型車庫を備えている。
【００２２】
車庫管理装置２は、パレット動作部１１、入出庫予測部１２、気象情報取得部１３、車庫情報データベース２３、実績情報データベース２４を備えている。パレット動作部１１は、移動型車庫のパレットＰ１〜Ｐ６を制御し、任意のパレットを入出庫可能な位置に移動させることができる。
【００２３】
さらにパレット動作部１１は、パレットの移動を実行した場合に、移動を実行したパレットに関する情報を車庫情報データベース２３から読み出し、入出庫動作に関する情報を実績情報データベース２４に格納する。
【００２４】
また、気象情報取得部１３は、ネットワーク３を介して気象情報サーバ４と接続され、気象情報サーバ４が提供する天気予報を気象情報として取得する。
【００２５】
入出庫予測部１２は、気象情報取得部１３が取得した気象情報と実績情報データベース２４に格納された実績情報とをもとに移動型車庫における入出庫を予測し、予測テーブル２２を作成する。
【００２６】
パレット動作部１１は、この予測テーブル２２をもとに、パレットの移動を指示する移動指示テーブル２１を作成し、移動指示テーブル２１に基づいてパレットの移動を実行する。
【００２７】
すなわち、車庫管理装置２は、移動型車庫における入出庫の実績を記憶し、この実績をもとに入出庫を予測することで、入出庫の指示を受ける前に、次に入出庫が行われる確率の高いパレットをあらかじめ入出庫可能な位置に移動させておくことができる。
【００２８】
つぎに、車庫情報データベース２３に記憶される情報について詳細に説明する。図２は、車庫情報データベース２３に記憶される車庫情報について説明する説明図である。同図に示すように、車庫情報データベース２３は、車庫番号、すなわち移動型車庫におけるパレットの番号と、その駐車スペースの使用者の部屋番号、車両のナンバーおよび使用者名を対応付けて記憶している。
【００２９】
具体的には、車庫情報データベース２３は、パレット「Ｐ１」に対して部屋番号「１０１」、車両ナンバー「あ１１１１」、使用者名「秋田」を対応付けている。すなわち、このパレット「Ｐ１」は、１０１号室の秋田氏によって契約されており、駐車される車両のナンバーは「あ１１１１」である。
【００３０】
また、車庫情報データベース２３は、パレット「Ｐ２」に対して部屋番号「２０１」、車両ナンバー「い２２２２」、使用者名「井上」を対応付けている。すなわち、このパレット「Ｐ２」は、２０１号室の井上氏によって契約されており、駐車される車両のナンバーは「い２２２２」である。
【００３１】
同様に、車庫情報データベース２３は、パレット「Ｐ３」に対して部屋番号「３０１」、車両ナンバー「う３３３３」、使用者名「上田」を対応付け、パレット「Ｐ４」に対して部屋番号「１０２」、車両ナンバー「え４４４４」、使用者名「江藤」を対応付け、パレット「Ｐ５」に対して部屋番号「２０２」、車両ナンバー「お５５５５」、使用者名「岡田」を対応付け、パレット「Ｐ６」に対して部屋番号「３０２」、車両ナンバー「か６６６６」、使用者名「川田」を対応付けている。
【００３２】
一方、実績情報データベース２４は、図３に示すように、各パレットにおいて実行された入出庫の実績を曜日および天候に関連付けて記憶する。たとえば、１２月１日の７時にパレットＰ４から車両の出庫があり、この時の天候は晴れ、気温は７℃であった。また、１２月１日の７時２０分にパレットＰ１から車両の出庫があり、この時の天候は晴れ、気温は７℃であった。このように、各パレットから入出庫があった日時、曜日、天候、気温および入出庫の区分を記憶し、入出庫の実績を蓄積することで、使用者の行動パターンを把握して、次にどのパレットで入出庫が行われる可能性が高いかを予測することができる。
【００３３】
ここで、実績情報データベースにおいて曜日を記憶するのは、使用者の行動パターンが曜日によって異なることを考慮するものである。たとえば、月曜から金曜までは特定の時刻に車で出勤するが、土曜や日曜には車を使用しないような行動パターンや、特定の曜日のみ車を使用する行動パターン、また、火曜日に休日があり、水曜から月曜日まで略同一の時刻に入出庫する行動パターンなどが考えられるが、入出庫の実績を曜日をもとに参照することで、様々な行動パターンを適切に把握することができる。
【００３４】
つぎに、実績情報データベース２４に天候および気温を合わせて記憶するのは、使用者の行動パターンが天候や曜日によって異なることを考慮するものである。たとえば天候が「晴れ」または「曇り」であれば車を使わずに出勤するが、天候が「雨」であれば車で出勤するような行動パターンが考えられる。また、気温に関しては、気温が１０℃以上であれば車を使わずに出勤するが、気温が１０℃未満であれば車で出勤するような行動パターンが考えられる。そこで、天候や気温をもとに使用者の行動パターンを予測することで、予測の精度を向上することができる。
【００３５】
ところで、天候や気温などの気象情報は、天気予報などによって事前に知ることができる。そのため、天気予報を気象情報取得部１３によって取得することで、使用者の行動を前もって予測することが可能となる。
【００３６】
このように、気象情報に基づいて使用者の行動を予測することで、次に入出庫が行われる可能性が高いパレットを予め入出庫可能な位置に移動させておくことができるので、使用者からの指示を待つことなく自動的に入出庫の準備を行うことができ、パレットの移動を効率化することができる。
【００３７】
図４に使用者の行動を予測した予測テーブルの一例を示す。同図において、予測テーブル２２は、天候が晴れの木曜日における使用者の行動を予測している。具体的には、予測テーブル２２は、実績情報データベース２４から曜日が「木」かつ天候「晴れ」であるデータを抜き出したものである。
【００３８】
より詳細には、予測テーブル２２は、パレットＰ１について時刻７時に出庫した回数を１回、２２時に入庫した回数を２回と抜き出している。また、パレットＰ４について時刻７時に出庫した回数を２回、１９に入庫した回数を１回と抜き出している。さらに、パレットＰ５について時刻１０時に出庫した回数を２回、時刻１５時に入庫した回数を２回と抜き出している。
【００３９】
一方、実績情報データベース２４において、天候晴れの木曜日にパレットＰ２，３，６での入出庫データがないので、パレットＰ２，３，６のデータは抜き出さない。
【００４０】
この予測テーブル２２をもとに、パレット動作部１１は、移動指示テーブル２１を作成する。図５は、予測テーブル２２をもとに作成した移動指示テーブルの一例を示す図である。
【００４１】
同図において、移動指示テーブル２１は、移動指示１として「時刻７時  パレットＰ４」を記憶し、移動指示２として「時刻７時  パレットＰ１」を記憶している。また、移動指示テーブル２１は、移動指示３として「時刻１０時  パレットＰ５」を記憶し、移動指示４として「時刻１５時  パレットＰ５」を記憶している。さらに、移動指示テーブル２１は、移動指示５として「時刻１９時  パレットＰ４」を記憶し、移動指示６として「時刻２２時  パレットＰ１」を記憶している。
【００４２】
ここで、パレットＰ４とパレットＰ１とはともに時刻７時に移動指示が指定されているが、パレットＰ４が「移動指示１」として優先され、パレットＰ１は「移動指示２」としている。これは、パレットＰ４に対して時刻７時に入出庫される確率が、パレットＰ１に対して時刻７時に入出庫される確率に比して高いと考えられるためである。
【００４３】
具体的には、予測テーブル２２において、パレットＰ４が晴れの木曜７時に使用された回数は２回である。一方、パレットＰ１が晴れの木曜７時に使用された回数は１回である。したがって、天候「晴れ」で曜日「木曜」という条件下では、パレットＰ４が時刻７時に使用される確率は、パレットＰ１が時刻７時に使用される確率に比して高いといえる。そこで、移動指示テーブル２１では、パレットＰ４をパレットＰ１に対して優先させることとしている。
【００４４】
このように、使用者の行動パターンを予測してパレットを移動する際に、使用者がパターン通りに行動する確率を過去の実績から求め、確率の高い行動パターンを優先することで、パレットの移動をより効率的に行うことができる。
【００４５】
つぎに、車庫情報管理装置２が出庫情報を記録する場合における処理動作を説明する。図６は、出庫情報の記録時における処理動作を説明するフローチャートである。同図に示すように、パレット動作部１１は、あるパレットにおけるタイヤのロックが解除されたならば（ステップＳ１０１）、そのパレットの番号と車両のナンバーとを取得する（ステップＳ１０２）。ここで、車両のナンバーは、各パレットに設置したカメラによってナンバープレートを撮影し、撮影した画像から車両ナンバーを読み出すものとする。
【００４６】
つづいて、パレット動作部１１は、車庫情報データベース２３からパレット番号に対応する車両ナンバーを読み出し、撮影した車両ナンバーと比較する（ステップＳ１０３）。車庫情報データベース２３から読み出した車両ナンバーと撮影した車両ナンバーとが同一である場合（ステップＳ１０４，Ｙｅｓ）、パレット動作部１１は、現在の天候情報および気温情報を取得し（ステップＳ１０５）、実績情報データベース２４に「パレット番号」、「日付」、「曜日」、「時刻」、「天候」、「気温」、「入出庫フラグ：出」を記録する（ステップＳ１０６）。ここで、入出庫フラグを「出」としたのは、ステップＳ１０１においてタイヤのロックが解除されている事から、パレットに駐車していた車両を出したと考えられるためである。
【００４７】
ステップＳ１０６終了後、もしくは車庫情報データベース２３から読み出した車両ナンバーと撮影した車両ナンバーとが同一ではない場合（ステップＳ１０４，Ｎｏ）、パレット動作部１１は処理を終了する。
【００４８】
このように、車庫情報データベース２３から読み出した車両ナンバーと撮影した車両ナンバーとが同一であるのみ実績情報データベース２４に登録することで、例えば来客などがパレットを使用した場合のデータと本来の使用者のデータとを区別し、使用者の行動パターンを精度良く求めることができる。なお、この実施の形態においてはナンバープレートの撮影によって車両の識別を行っているが、使用者の車両を識別可能な任意の方法を用いることができる。
【００４９】
つぎに、車庫情報管理装置２が入庫情報を記録する場合における処理動作を説明する。図７は、入庫情報の記録時における処理動作を説明するフローチャートである。同図に示すように、パレット動作部１１は、あるパレットにおいてタイヤがロックされたならば（ステップＳ２０１）、そのパレットの番号と車両のナンバーとを取得する（ステップＳ２０２）。ここで、車両のナンバーは、各パレットに設置したカメラによってナンバープレートを撮影して読み出す。
【００５０】
つづいて、パレット動作部１１は、車庫情報データベース２３からパレット番号に対応する車両ナンバーを読み出し、撮影した車両ナンバーと比較する（ステップＳ２０３）。車庫情報データベース２３から読み出した車両ナンバーと撮影した車両ナンバーとが同一である場合（ステップＳ２０４，Ｙｅｓ）、パレット動作部１１は、現在の天候情報および気温情報を取得し（ステップＳ２０５）、実績情報データベース２４に「パレット番号」、「日付」、「曜日」、「時刻」、「天候」、「気温」、「入出庫フラグ：入」を記録する（ステップＳ２０６）。ここで、入出庫フラグを「入」としたのは、ステップＳ２０１においてタイヤがロックされている事からパレットに車両を駐車したと考えられるためである。
【００５１】
ステップＳ２０６終了後、もしくは車庫情報データベース２３から読み出した車両ナンバーと撮影した車両ナンバーとが同一ではない場合（ステップＳ２０４，Ｎｏ）、パレット動作部１１は処理を終了する。
【００５２】
つぎに、入出庫予測部１２による入出庫予測の動作について説明する。図８は、入出庫予測動作を説明するフローチャートである。同図に示すように、入出庫予測部１２は、まず本日の曜日を取得する（ステップＳ３０１）。つづいて、気象情報取得部１３がネットワーク３を介し、気象情報サーバ４から天気予報を取得する（ステップＳ３０２）。
【００５３】
入出庫予測部１２は、各パレットについて本日の曜日および予想天気に合致する条件下における出庫時刻と入庫時刻とを、実績情報データベース２４から読み出してそれぞれ計数し、計数結果が最も多い出庫時刻および入庫時刻を予測テーブル２２に記憶する。
【００５４】
ここで、計数結果が同数であった場合、より早い時刻を優先する。すなわち、あるパレットについて「出庫時刻７時」が３回、「出庫時刻７時２０分」が３回計数された場合、予測テーブル２２には「出庫時刻７時」を記憶させる。これは、そのパレットから７時に出庫される確率と７時２０分に出庫される確率が同一であれば、より早い時間である７時にパレットを移動させておくことで、使用者が７時２０分に出庫した場合にも対応することができるためである。
【００５５】
つづいて、入出庫予測部１２は、予測テーブル２２に記憶された情報を時刻順に並び替え、移動指示テーブル２１を作成して（ステップＳ３０４）、パレット動作部１１に送信し、処理を終了する。
【００５６】
つぎに、パレット動作部１１によるパレットの制御動作について説明する。図９は、パレットの制御動作を説明するフローチャートである。パレット動作部１１は、まず、移動指示テーブル２１から移動対象となるパレットの番号を取得し、該当するパレットの状況を監視する（ステップＳ４０１）。監視中のパレットについて、移動を指示された時刻になる前に入出庫があった場合（ステップＳ４０２，Ｙｅｓ）、移動指示テーブル２１から該当する移動指示を削除し（ステップＳ４０７）、処理を終了する。
【００５７】
一方、指導を指定された時刻まで入出庫がなかった場合（ステップＳ４０３，Ｎｏ）、パレット動作部１１は、移動指示テーブル２１に指定された時刻をもとに、パレットを入出庫可能な位置まで移動させ（ステップＳ４０３）、移動させたパレットを監視する（ステップＳ４０４）。
【００５８】
この監視中のパレットから車両の入出庫があった場合（ステップＳ４０５，Ｙｅｓ）、パレット動作部１１は、該当する移動指示を削除し（ステップＳ４０７）、処理を終了する。
【００５９】
一方、監視中のパレットにおいて車両の入出庫がない場合（ステップＳ４０５，Ｎｏ）、パレット動作部１１は、移動指示テーブル２１によって指定された時刻から所定以上の時間が経過したか否かを判定する（ステップＳ４０８）。
【００６０】
指定された時刻から所定以上の時間が経過していない場合（ステップＳ４０８，Ｎｏ）、パレット動作部１１は再度車両が入出庫されたか否かを確認する（ステップＳ４０５）。一方、指定された時間から所定以上の時間が経過した場合（ステップＳ４０８，Ｙｅｓ）、パレット動作部１１は、該当する移動指示を削除し（ステップＳ４０７）、処理を終了する。
【００６１】
このように、移動指示テーブル２１によって指示されたパレットを監視し、指定された時刻以前に入出庫があった場合には、そのパレットに対する移動指示を削除することで、予測した時刻に比して早く入出庫が行われた場合に対応し、予測した時刻に再度不要なパレットの移動が発生することを防止できる。
【００６２】
また、移動指示テーブル２１によって指定された時刻から所定時間以内に入出庫がなかった場合に、そのパレットに対する移動指示を削除することで、監視が不要に継続し、以降の移動指示に影響が出ることを防止できる。
【００６３】
上述してきたように、本実施の形態では、マンション１の移動型車庫における入出庫の実績を実績情報データベース２４に記憶するとともに、気象情報取得部１３によって気象情報を取得し、曜日および気象情報に基づいて実績情報データベース２４を参照することで入出庫を予測するので、入出庫の指示を受ける前に次に入出庫が行われる確率の高いパレットをあらかじめ入出庫可能な位置に移動させておくことができる。
【００６４】
（付記１）車両を駐車するパレットを複数備え、該複数のパレットのいずれかを入出庫可能な位置に移動させて当該パレットに対する前記車両の入出庫を行う移動型車庫の管理方法であって、
気象情報を取得する気象情報取得工程と、
前記パレットに対して車両の入出庫があった場合に、前記気象情報取得工程が取得した前記気象情報と前記車両の入出庫実績とを関連付けて記憶する入出庫実績記憶工程と、
前記気象情報取得工程が取得した前記気象情報と前記入出庫実績とをもとに、前記車両の入出庫を予測し、該予測結果に基づいて前記パレットを移動させる入出庫予測工程と、
を含むことを特徴とする移動型車庫の管理方法。
【００６５】
（付記２）前記気象情報取得工程は、前記気象情報として天候および気温の予報を取得し、前記入出庫予測工程は、前記気象情報取得工程が取得した予報をもとに前記車両の入出庫を予測することを特徴とする移動型車庫の管理方法。
【００６６】
（付記３）前記入出庫予測工程は、前記気象情報によって示された条件下において過去に入出庫がなされた車両を前記入出庫実績から読み出し、当該車両に対応するパレットを入出庫可能な位置に移動させることを特徴とする付記１または２に記載の移動型車庫の管理方法。
【００６７】
（付記４）前記入出庫予測工程は、前記気象情報によって示された条件下において過去に入出庫がなされた車両が複数ある場合に、当該条件下における入出庫の実行確率が高い車両に対応するパレットを入出庫可能な位置に移動させることを特徴とする付記３に記載の移動型車庫の管理方法。
【００６８】
（付記５）車両を駐車するパレットを複数備え、該複数のパレットのいずれかを入出庫可能な位置に移動させて当該パレットに対する前記車両の入出庫を行う移動型車庫の管理装置であって、
気象情報を取得する気象情報取得手段と、
前記パレットに対して車両の入出庫があった場合に、前記気象情報取得手段が取得した前記気象情報と前記車両の入出庫実績とを関連付けて記憶する入出庫実績記憶手段と、
前記気象情報取得手段が取得した前記気象情報と前記入出庫実績とをもとに、前記車両の入出庫を予測し、該予測結果に基づいて前記パレットを移動させる入出庫予測手段と、
を備えたことを特徴とする移動型車庫の管理装置。
【００６９】
（付記６）前記気象情報取得手段は、前記気象情報として天候および気温の予報を取得し、前記入出庫予測手段は、前記気象情報取得手段が取得した予報をもとに前記車両の入出庫を予測することを特徴とする付記５に記載の移動型車庫の管理装置。
【００７０】
（付記７）前記入出庫予測手段は、前記気象情報によって示された条件下において過去に入出庫がなされた車両を前記入出庫実績から読み出し、当該車両に対応するパレットを入出庫可能な位置に移動させることを特徴とする付記５または６に記載の移動型車庫の管理装置。
【００７１】
（付記８）前記入出庫予測手段は、前記気象情報によって示された条件下において過去に入出庫がなされた車両が複数ある場合に、当該条件下における入出庫の実行確率が高い車両に対応するパレットを入出庫可能な位置に移動させることを特徴とする付記７に記載の移動型車庫の管理装置。
【００７２】
【発明の効果】
以上説明したように、請求項１の発明によれば、移動型車庫の管理方法は、パレットに対する入出庫実績を気象情報と関連付けて記憶し、気象情報に基づいて入出庫を予測してパレットの移動を実行するので、パレットの移動を自動的に効率よく実行可能な移動型車庫の管理方法が得られるという効果を奏する。
【００７３】
また、請求項２の発明によれば、移動型車庫の管理方法は、パレットに対する入出庫実績を天候および気温と関連付けて記憶し、天候および気温の予報に基づいて入出庫を予測してパレットの移動を実行するので、天気予報を利用してパレットの移動を自動化して効率を向上した移動型車庫の管理方法が得られるという効果を奏する。
【００７４】
また、請求項３の発明によれば、移動型車庫の管理方法は、気象情報によって示された条件下における過去の入出庫実績をもとに、入出庫が予想される車両を決定して対応するパレットの移動を行うので、入出庫を高い精度で予測し、パレットの移動を自動的に効率よく実行可能な移動型車庫の管理方法が得られるという効果を奏する。
【００７５】
また、請求項４の発明によれば、移動型車庫の管理方法は、気象情報によって示された条件下において過去に入出庫がなされた車両が複数ある場合に、同一条件下における入出庫の実行確率が高い車両を優先するので、パレットの移動の効率をさらに向上した移動型車庫の管理方法が得られるという効果を奏する。
【００７６】
また、請求項５の発明によれば、移動型車庫の管理装置は、パレットに対する入出庫実績を気象情報と関連付けて記憶し、気象情報に基づいて入出庫を予測してパレットの移動を実行するので、パレットの移動を自動的に効率よく実行可能な移動型車庫の管理装置が得られるという効果を奏する。
【図面の簡単な説明】
【図１】本実施の形態にかかる車庫管理装置の概要構成を説明する概要構成図である。
【図２】図１に示した車庫情報データベースに記憶される車庫情報について説明する説明図である。
【図３】図１に示した実績情報データベースに記憶される車庫情報について説明する説明図である。
【図４】図１に示した予測テーブルについて説明する説明図である。
【図５】図１に示した移動指示テーブルについて説明する説明図である。
【図６】出庫情報の記録時における処理動作を説明するフローチャートである。
【図７】入庫情報の記録時における処理動作を説明するフローチャートである。
【図８】入出庫予測動作を説明するフローチャートである。
【図９】パレットの制御動作を説明するフローチャートである。
【符号の説明】
１    マンション
２    車庫管理装置
３    ネットワーク
４    気象情報サーバ
１１    パレット動作部
１２    入出庫予測部
１３    気象情報取得部
２１    移動指示テーブル
２２    予測テーブル
２３    車庫情報データベース
２４    実績情報データベース
Ｐ１〜Ｐ６  パレット
【図１】
2004278215.tif 000003
【図２】
2004278215.tif 000004
【図３】
2004278215.tif 000005
【図４】
2004278215.tif 000006
【図５】
2004278215.tif 000007
【図６】
2004278215.tif 000008
【図７】
2004278215.tif 000009
【図８】
2004278215.tif 000010
【図９】
2004278215.tif 000011